(57)【要約】【課題】複数の矩形形状からなるラベルを組み合わせて、特定のラベルデザインを簡単かつ手軽に、形成させることができるラベルデザイン作成装置、方法及プログラムを提供する。【解決手段】本発明のラベルデザイン作成装置は、複数のデザインが記憶された第１の記憶手段と、各デザインを複数の矩形ラベルの組み合わせによって表現したラベル組み合わせ情報が記憶された第２の記憶手段と、第１の記憶手段に記憶された各デザインの内、採用するデザインを選択させる選択手段と、選択手段で選択されたデザインに対応するラベル組み合わせ情報を第２の記憶手段から読み出す読み出し手段と、読み出し手段により読み出されたラベル組み合わせ情報に従い、デザインを構成する各ラベルを出力する出力手段と、を備えたものである。【選択図】      図１
2008290390.tif 000002
【特許請求の範囲】
【請求項１】
複数のデザインが記憶された第１の記憶手段と、
上記各デザインを複数の矩形ラベルの組み合わせによって表現したラベル組み合わせ情報が記憶された第２の記憶手段と、
上記第１の記憶手段に記憶された上記各デザインの内、採用するデザインを選択させる選択手段と、
上記選択手段で選択された上記デザインに対応するラベル組み合わせ情報を第２の記憶手段から読み出す読み出し手段と、
上記読み出し手段により読み出されたラベル組み合わせ情報に従い、上記デザインを構成する各ラベルを出力する出力手段と、を備えたラベルデザイン作成装置。
【請求項２】
複数のデザインが記憶された第１の記憶手段と、
上記第１の記憶手段に記憶された上記各デザインの内、採用するデザインを選択させる選択手段と、
上記選択手段で選択された上記デザインから、当該デザインを矩形のラベルの組み合わせで表現したラベル組み合わせ情報を作成する展開手段と、
上記展開手段で作成されたラベル組み合わせ情報に従い、上記デザインを構成するラベルを出力する出力手段と、を備えたラベルデザイン作成装置。
【請求項３】
デザインを入力させる入力手段と、
上記入力手段で入力された上記デザインから、当該デザインを矩形のラベルの組み合わせで表現したラベル組み合わせ情報を作成する展開手段と、
上記展開手段で作成されたラベル組み合わせ情報に従い、上記デザインを構成するラベルを出力する出力手段と、を備えたラベルデザイン作成装置。
【請求項４】
請求項２又は３に記載のラベルデザイン作成装置において、
上記展開手段は、
上記デザインの骨格をカバーするように矩形のラベルを配置したラベル組み合わせ情報を作成する、ラベルデザイン作成装置。
【請求項５】
請求項２又は３に記載のラベルデザイン作成装置は、さらに、
上記展開手段で作成されたラベル組み合わせ情報を変更する変更手段を備え、
上記出力手段は、
上記変更手段で変更されたラベル組み合わせ情報に従いラベルを出力する、ラベルデザイン作成装置。
【請求項６】
請求項１乃至５のいずれか一項に記載のラベルデザイン作成装置において、
上記展開手段は、
上記ラベル組み合わせ情報で規定されるデザインを構成する各ラベルが、少なくとも他の一のラベルとテープ幅及びテープ種の少なくとも一つが異なるラベル組み合わせ情報を作成する、ラベルデザイン作成装置。
【請求項７】
請求項１乃至６のいずれか一項に記載のラベルデザイン作成装置は、さらに、
上記ラベル組み合わせ情報によって規定される矩形ラベルが貼り合わされて形成される領域内に、１又は複数の画像を形成する領域を設定する画像形成領域設定手段と、
上記領域に形成する画像を決定する画像作成手段と、
上記画像作成手段で決定された画像を、上記画像形成領域設定手段で設定された領域内に画像形成する画像形成手段と、を備えたラベルデザイン作成装置。
【請求項８】
請求項１乃至６のいずれか一項に記載のラベルデザイン作成装置は、さらに、
上記ラベル組み合わせ情報によって規定されるラベルが貼り合わされて形成される領域内に、一又は複数の画像を形成する領域を設定する画像形成領域設定手段と、
上記領域内に形成する画像を入力させる画像入力手段と、
上記画像入力手段によって入力された画像を、上記画像形成領域設定手段で設定された領域に形成する画像形成手段と、を備えたラベルデザイン作成装置。
【請求項９】
請求項１乃至８のいずれか一項に記載のラベルデザイン作成装置は、さらに、
各ラベルの貼り合わせ方を記したガイドを画面表示する表示手段を備えた、ラベルデザイン作成装置。
【請求項１０】
請求項１乃至８のいずれか一項に記載のラベルデザイン作成装置は、さらに、
各ラベルの貼り合わせ方を記したガイドを、上記デザインを構成するラベルとは別のラベルに画像形成して出力するガイド出力手段を備えた、ラベルデザイン作成装置。
【請求項１１】
請求項１０に記載のラベルデザイン作成装置において、
上記出力手段は、
各ラベル同士をフルカットし、
上記ガイド出力手段は、
各ラベルとの間がハーフカットされて接続されているハーフカット代領域に、当該ラベルと他のラベルとの貼り合わせ方を記したガイドを画像形成する、ラベルデザイン作成装置。
【請求項１２】
請求項１乃至６のいずれか一項に記載のラベルデザイン作成装置は、さらに、
一のラベル上に重畳して他のラベルが貼り合わされるラベルデザインにおいて、一のラベル上に、他のラベルが貼り合わされる位置の案内を画像形成する案内画像形成手段を備えた、ラベルデザイン作成装置。
【請求項１３】
請求項１２に記載のラベルデザイン作成装置において、案内画像形成装置は、
他のラベルに、当該ラベルを識別するための記号を画像形成するとともに、一のラベルにおける他のラベルが貼り合わされる位置に上記記号を画像形成する、ラベルデザイン作成装置。
【発明の詳細な説明】
【技術分野】
【０００１】
本発明は、ラベルデザイン作成装置に関し、例えば、複数の矩形形状のテープを組み合わせて、ある形状のラベルデザインを作成するラベルデザイン作成装置に適用し得る。
【背景技術】
【０００２】
例えば、店舗のウィンドウディスプレイの表示や施設内等での案内表示として、文字や記号や図形をカッティングしたデザインシールを用いることが広くなされている。また例えばファイル等の自分の持ち物にデザインシールを貼ることがよくなされている。
【０００３】
この種のデザインシールを利用する場合には、例えば非特許文献１に記載のカッティングマシンを使って所望のデザインシールを作成して用いたり、また例えば文房具店等で出来上がったデザインシールを購入して用いたりするのが一般的である。
【０００４】
しかし、従来のカッティングマシンは大掛かりでありまた高価であるため、カッティングマシンを安易に購入できず、シールを作成することは難しい。そのため、ある程度見栄えのよいデザイン表示を簡単かつ手軽に作成することが望まれている。
【０００５】
ところで、従来、矩形形状のテープに文字や記号や図形を印刷したラベルを作成するラベル作成装置がある。ラベル作成装置は、簡単かつ手軽にラベルを作成することができることから、オフィスや一般家庭等に広く普及している。
【０００６】
従来、ラベル作成装置が作成するラベルは、幅方向の長さが一定のラベルに限られている。セッティングしたテープよりも幅方向の長さが大きいラベルを作成する技術として、特許文献１に記載の拡大印刷技術があるが、矩形形状のテープを使用しているので、組み合わせたラベル形状自体にデザイン性はない。
【特許文献１】特開平８−５２９０８号公報
【非特許文献１】カッティングマシン製品情報「ＣＡＭＭ−１  ＳＥＲＶＯ  ＧＸ−２４」，オンライン，ローランドディージー株式会社，２００７年３月１６日検索，＜URL：//rolanddg.co.jp/product/cutting/cutting/gx-24.html＞
【発明の開示】
【発明が解決しようとする課題】
【０００７】
上述のように、ある程度見栄えのよいデザイン表示を簡単かつ手軽に作成することが望まれている。
【０００８】
従来のラベル作成装置は、矩形形状のテープを使用してラベルを作成するため、作成されたラベルも矩形形状となってしまう。従来、ラベルの角をカッティングして、ラベル形状に丸みをつける加工技術はあるが、この場合でも、ラベル形状のデザイン性に限界がある。
【０００９】
そのため、複数の矩形形状からなるラベルを組み合わせて、特定のラベルデザインを形成するためのラベルを作成するラベルデザイン作成装置が求められている。
【課題を解決するための手段】
【００１０】
かかる課題を解決するために、第１の発明のラベルデザイン作成装置は、複数のデザインが記憶された第１の記憶手段と、各デザインを複数の矩形ラベルの組み合わせによって表現したラベル組み合わせ情報が記憶された第２の記憶手段と、第１の記憶手段に記憶された各デザインの内、採用するデザインを選択させる選択手段と、選択手段で選択されたデザインに対応するラベル組み合わせ情報を第２の記憶手段から読み出す読み出し手段と、読み出し手段により読み出されたラベル組み合わせ情報に従い、デザインを構成する各ラベルを出力する出力手段と、を備えたものである。
【００１１】
ここで、第１の記憶手段と第２の記憶手段とは、物理的に異なる記憶手段である必要はなく、同一の記憶手段の場合も含む概念である。
【００１２】
第２の本発明のラベルデザイン作成装置は、複数のデザインが記憶された第１の記憶手段と、第１の記憶手段に記憶された各デザインの内、採用するデザインを選択させる選択手段と、選択手段で選択されたデザインから、当該デザインを矩形のラベルの組み合わせで表現したラベル組み合わせ情報を作成する展開手段と、展開手段で作成されたラベル組み合わせ情報に従い、デザインを構成するラベルを出力する出力手段と、を備えたものである。
【００１３】
第３の発明のラベルデザイン作成装置は、デザインを入力させる入力手段と、入力手段で入力されたデザインから、当該デザインを矩形のラベルの組み合わせで表現したラベル組み合わせ情報を作成する展開手段と、展開手段で作成されたラベル組み合わせ情報に従い、デザインを構成するラベルを出力する出力手段と、を備えたものである。
【００１４】
第４の発明のラベルデザイン作成装置は、第２又は第３の発明のラベルデザイン作成装置において、展開手段は、デザインの骨格をカバーするように矩形のラベルを配置したラベル組み合わせ情報を作成するものである。
【００１５】
第５の発明のラベルデザイン作成装置は、第２又は第３の発明のラベルデザイン作成装置において、さらに、展開手段で作成されたラベル組み合わせ情報を変更する変更手段を備え、出力手段は、変更手段で変更されたラベル組み合わせ情報に従いラベルを出力するものである。
【００１６】
第６の発明のラベルデザイン作成装置は、第１乃至第５の発明のいずれかに記載のラベルデザイン作成装置において、展開手段は、ラベル組み合わせ情報で規定されるデザインを構成する各ラベルが、少なくとも他の一のラベルとテープ幅及びテープ種の少なくとも一つが異なるラベル組み合わせ情報を作成するものである。
【００１７】
第７の発明のラベルデザイン作成装置は、第１乃至第６の発明のいずれかに記載のラベルデザイン作成装置において、さらに、ラベル組み合わせ情報によって規定される矩形ラベルが貼り合わされて形成される領域内に、１又は複数の画像を形成する領域を設定する画像形成領域設定手段と、領域に形成する画像を決定する画像作成手段と、画像作成手段で決定された画像を、画像形成領域設定手段で設定された領域内に画像形成する画像形成手段と、を備えたものである。
【００１８】
第８の発明のラベルデザイン作成装置は、第１乃至第６の発明のいずれかに記載のラベルデザイン作成装置において、さらに、ラベル組み合わせ情報によって規定されるラベルが貼り合わされて形成される領域内に、一又は複数の画像を形成する領域を設定する画像形成領域設定手段と、領域内に形成する画像を入力させる画像入力手段と、画像入力手段によって入力された画像を、画像形成領域設定手段で設定された領域に形成する画像形成手段と、を備えたものである。
【００１９】
第９の発明のラベルデザイン作成装置は、第１乃至第８の発明のいずれかに記載のラベルデザイン作成装置において、さらに、各ラベルの貼り合わせ方を記したガイドを画面表示する表示手段を備えたものである。
【００２０】
第１０の発明のラベルデザイン作成装置は、第１乃至第８の発明のいずれかに記載のラベルデザイン作成装置において、さらに、各ラベルの貼り合わせ方を記したガイドを、デザインを構成するラベルとは別のラベルに画像形成して出力するガイド出力手段を備えたものである。
【００２１】
第１１の発明のラベルデザイン作成装置は、第１０の発明のラベルデザイン作成装置において、出力手段は、各ラベル同士をフルカットし、ガイド出力手段は、各ラベルとの間がハーフカットされて接続されているハーフカット代領域に、当該ラベルと他のラベルとの貼り合わせ方を記したガイドを画像形成するものである。
【００２２】
第１２の発明のラベルデザイン作成装置は、第１乃至第６の発明のいずれかに記載のラベルデザイン作成装置において、さらに、一のラベル上に重畳して他のラベルが貼り合わされるラベルデザインにおいて、一のラベル上に、他のラベルが貼り合わされる位置の案内を画像形成する案内画像形成手段を備えたものである。
【００２３】
第１３の発明のラベルデザイン作成装置は、第１２の発明のラベルデザイン作成装置において、案内画像形成装置は、他のラベルに、当該ラベルを識別するための記号を画像形成するとともに、一のラベルにおける他のラベルが貼り合わされる位置に記号を画像形成するものである。
【発明の効果】
【００２４】
本発明のラベルデザイン作成装置によれば、複数の矩形形状からなるラベルを組み合わせた特定のラベルデザインを形成するためのラベルを作成することができる。
【発明を実施するための最良の形態】
【００２５】
（Ａ）第１の実施形態
以下では、本発明のラベルデザイン作成装置の第１の実施形態を、図面を参照しながら詳細に説明する。
【００２６】
第１の実施形態では、専用のラベルデザイン作成装置（ラベル作成装置）に本発明を適用した場合を想定して説明する。
【００２７】
勿論、後述するように、本発明はＣＰＵが処理プログラムを実行することで所定処理を実現させるソフトウェア処理を想定するものであるため、パーソナルコンピュータに接続するラベル作成装置やスタンドアロン型ラベル作成装置に本発明を適用することもできる。
【００２８】
ここで、ラベルデザインとは、複数の矩形形状のラベルを組み合わせることで作り上げることができる特定の形状を有するものであり、必要に応じて、文字、記号、図形若しくはこれらの組み合わせたもの等が印刷されたものである。また、このラベルデザインを構成する各ラベルのことを構成ラベルという。ラベルデザイン作成装置は、ラベルデザインを構成する各構成ラベルを作成して排出する。また、構成ラベルには、文字、記号、図形、背景模様が印刷されているものだけでなく、これらが印刷されていないものも含む概念である。さらに、構成ラベルは、有色テープ、無色テープ、透明テープ等を適用することができ、またマグネットテープ、アイロンラベル等にも適用できるものである。
【００２９】
（Ａ−１）第１の実施形態の構成
図１は、第１の実施形態のラベルデザイン作成装置の電気的な構成を示すブロック図である。図２は、第１の実施形態のラベルデザイン作成装置の外観イメージを示す概略斜視図である。
【００３０】
図２において、第１の実施形態のラベルデザイン作成装置１は、操作パネルとして文字や記号等のキーや機能キーや制御キー等を有するキー入力部１１、入力された文字や記号等を表示したり又はラベルの出来上がりイメージを表示したりする液晶ディスプレイ３５、ラベルデザインを構成する構成テープ（文字や記号や図形等が印刷されたテープも含む）を排出する排出口５２、を少なくとも有して構成される。
【００３１】
また、図２において、ラベルデザイン作成装置１は、装置筐体の内部にテープカートリッジＴＣを収容することができ、テープカートリッジＴＣの収容空間を覆う蓋体５０を備える。液晶ディスプレイ３５は、この蓋体５０上に設けられている。
【００３２】
図１において、第１の実施形態ラベルデザイン作成装置１は、大別して、入力部１０、制御部２０、出力部３０を有して構成される。
【００３３】
入力部１０は、キー入力部１１やテープ種類検出センサ１２を備えるものである。
【００３４】
キー入力部１１は、上述した各種キーを備え、利用者により押下されたキーのキー信号（例えば文字コードデータや制御データ等）を、制御部２０の入力インターフェース２５に与えるものである。なお、第１の実施形態では、キー入力部１１は、機構的なキーを想定しているが、タッチパネル等のように画面上で操作する押下するものとしてもよい。
【００３５】
テープ種類検出センサ１２は、装填されているテープカートリッジＴＣのテープ幅長や色（透明を含む）等のテープ種類情報を検出し、そのテープ種類情報を制御部２０に与えるものである。テープ種類情報の検出方法としては、例えば、予めテープカートリッジＴＣにはテープ幅長や色などを規定する孔などで構成された物理的な識別要素が設けられており、テープ種類検出センサ１２はこの物理的な識別要素を読み取ってテープ種類情報を検出する。
【００３６】
出力部３０は、印刷構成と表示構成とからなるものである。ここで、印刷構成は、テープに対して印刷を行なう構成であり、表示構成は、テープに印刷する入力情報や、操作ガイダンスのメッセージ等を表示するものである。
【００３７】
ここで、印刷構成として、サーマルヘッド３２は、例えば、固定的に設けられており、走行するテープに対して熱転写によって印刷を行なうものである。また、テープ・リボン走行機構３１は、例えばステッピングテープや直流モータ等を中心として構成されるものであり、装填されている図示しないテープやインクリボンを所定の印刷位置や装置外部まで送り出すものである。これらサーマルヘッド３２及びテープ・リボン走行機構３１はそれぞれ、制御部２０の制御下で、ヘッド駆動回路３４や走行駆動回路（モータ等を含む）３３によって駆動される。
【００３８】
また、印刷されたテープの切断は、制御部２０の制御下で、カッタ駆動回路（モータ等を含む）３８によって駆動されるカッタ３７によって行なわれる。切断用のカッタ３７は、制御部２０の制御の下、全切断モードにおいては表紙と裏紙とを共に切断するフルカッタ３７ａと、ハーフ切断モードにおいては裏紙を切断することなく表紙だけを切断するハーフカッタ３７ｂとで構成される。
【００３９】
次に、表示構成として、例えば所定サイズの文字を数行（例えば４行）に亘って数文字（例えば１２文字）程度表示できる程度の液晶ディスプレイ３５が設けられており、この液晶ディスプレイ３５は、制御部２０の制御下でディスプレイ駆動回路３６によって駆動される。また、液晶ディスプレイ３５は、入力文字列や行番号や印刷イメージや長さ情報等を表示するドット表示部２や属性インジケータ部３（３−１〜３−ｎ）からなるので、ディスプレイ駆動回路３６も、大別すると、ドット表示部２に対応した駆動部３６ａ、及び属性インジケータ部３に対応した駆動部３６ｂからなる。
【００４０】
制御部２０は、例えば、マイクロコンピュータによって構成されており、ＣＰＵ２１、ＲＯＭ２２、ＲＡＭ２３、キャラクタジェネレータＲＯＭ（ＣＧ−ＲＯＭ）２４、入力インターフェース２５、及び出力インターフェース２６がシステムバス２７を介して接続されている。
【００４１】
ＲＯＭ２２は、１又は複数のＲＯＭチップでなり、各種の処理プログラムや、かな漢字変換用辞書データ等の固定データが格納されている。また、第１の実施形態では、ＲＯＭ２２には、ラベルデザイン作成プログラム２２ａ、ラベルデザイン設定フォーム保存部２２ｂが格納されている。
【００４２】
このラベルデザイン作成プログラム２２ａは、複数のラベルを組み合わせることで、あるラベルデザインを作り上げることができるよう、当該ラベルデザインを構成する複数の構成ラベルを作成するプログラムである。
【００４３】
図３は、ラベルデザイン作成プログラム２２ａの実行により実現される機能を説明する機能ブロック図である。
【００４４】
図３に示すように、ラベルデザイン作成プログラム２２ａにより実現される機能としては、ラベルデザイン選択機能部４１、ラベルデザイン作成機能部４２、出力制御部４３、を少なくとも有する。
【００４５】
ラベルデザイン選択機能部４１は、ラベルデザイン作成処理の際、ラベルデザイン設定フォーム保存部２２ｂに設定されているラベルデザインの種類を表示させ、利用者により選択されたラベルデザインの設定フォーマットを、ラベルデザイン設定フォーム保存部２２ｂから取得するものである。
【００４６】
ラベルデザイン作成機能部４２は、ラベルデザイン選択機能部４１が取得した利用者の選択したラベルデザインの設定フォーマットに基づいて、ラベルデザインを形成するために必要な構成ラベルを作成するものである。
【００４７】
出力制御部４３は、ラベルデザイン作成機能部４２が作成した構成ラベルを出力する際に、所定の機能を実現するものである。
【００４８】
ラベルデザイン作成プログラム２２ａが実行されることにより、ラベルデザイン作成装置１は、ラベルデザインの構成する矩形形状のラベル（構成ラベル）を出力することができる。この構成ラベルを利用者が組み合わせることで、簡単かつ手軽に、所望のラベルデザインを作り上げることができる。
【００４９】
また、ラベルデザイン設定フォーム保存部２２ｂは、予め設定された複数のラベルデザインの設定フォームが記憶されたものである。
【００５０】
図４は、ラベルデザイン設定フォーム保存部２２ｂが記憶するラベルデザインの設定フォームの構成例を示すものである。図４に例示するように、ラベルデザイン設定フォーム保存部２２ｂは、予め設定された複数のラベルデザインと、それらラベルデザインを構成するラベル組み合わせ情報とを保存している。これにより、利用者は、デザインを選択するだけで、ラベルデザインを形成できる。
【００５１】
図４において、ラベルデザイン設定フォーム保存部２２ｂの設定フォームは、「ラベルデザイン」を項目として有する。また、ラベル組み合わせ情報として、「構成ラベル番号（Ｎｏ．）」、「テープ幅」、「テープ色」、「長さ」、「背景模様（地紋）」、「文字入力」を項目として有する。
【００５２】
「ラベルデザイン」は、ラベルデザインを識別する「識別番号（Ｎｏ.）」及び「名称」の項目を有する。「構成ラベル番号（Ｎｏ.）」は、ラベルデザインを構成する各構成ラベルを識別する番号である。「テープ幅」は、構成ラベルのテープ幅方向の長さであり、「テープ色」は、構成ラベルのテープの色であり、「長さ」は、構成ラベルの長さ方向の長さである。
【００５３】
また、「背景模様（地紋）」は、テープに背景模様を印刷するか否かを項目であり、「文字入力」は、構成ラベルのうち、文字入力可能な構成ラベルであるか否かを示す項目である。なお、「背景模様」の項目には、別途設けられた背景模様の設定フォームのうち、背景模様として決定する識別番号が格納されるようにしてもよい。
【００５４】
背景模様としては、例えば、「きりん」のデザインの場合には、一定の大きさの黒丸を多数テープに印刷できるように、予め設定フォームに設定されている。これにより、矩形ラベルを出力する際に、設定フォームに設定されている情報に基づいて、例えば黒丸を多数自動印刷したラベルを出力することができる。
【００５５】
文字入力としては、利用者が入力した文字をラベルに印刷して出力できるようにする。このとき、文字入力するラベルを利用者が指定できる。また、複数枚のラベルにまたがって、入力文字を印刷できるようにしてもよい。
【００５６】
例えば、図４において、「矢印」の形状は、３枚の構成ラベルを組み合わせて形成することができるものである。そこで、図４に示すように、「長さ」が「５ｃｍ」、「３ｃｍ」、「３ｃｍ」の３枚の構成ラベルを作成できるように設定されている。なお、「矢印」の形状の「テープ幅」は「１２ｍｍ」のテープを用いることがデフォルト設定されており、「テープ色」については、設定されておらず「‐」としている。また、「構成ラベルＮｏ．１」の構成ラベルが文字入力可能なラベルである。そして、これら３枚の構成ラベルを組み合わせると、図５（Ａ）に示すような「矢印」の形状を形成することができる。
【００５７】
また例えば、図４において、「家」の形状は、「テープ幅」が「１２ｍｍ」のテープについて、「長さ」が「２ｃｍ」、「６ｃｍ」、「８ｃｍ」、「４ｃｍ」、「４ｃｍ」の５枚の構成ラベルが作成できるように設定されている。なお、「家」の形状の「テープ色」は「赤色」のテープを用いることがデフォルト設定されているが、「テープ幅」については設定されていない。また、すべての構成ラベルが、文字入力可能なラベルである。そして、これら５枚の構成ラベルを組み合わせると、図５（Ｂ）に示すような「家」の形状を形成することができる。
【００５８】
さらに例えば、図４において、「きりん」の形状は、「長さ」が、「２ｃｍ」、「６ｃｍ」、「６ｃｍ」、「１ｃｍ」の４枚の構成ラベルが作成できるように設定されている。なお、「きりん」の形状は、「テープ幅」が「１８ｍｍ」の「黄色」のテープを用いることが要件として設定されている。また、すべての構成ラベルが背景模様が印刷されるラベルであり、「構成ラベルＮｏ．２」及び「構成ラベルＮｏ．３」が文字入力可能なラベルである。そして、これら４枚の構成ラベルを組み合わせると、図５（Ｃ）に示すような「きりん」の形状を形成することができる。
【００５９】
なお、図４は、ラベルデザイン設定フォーム保存部２２ｂの設定フォームの例示であり、設定フォームは、図４に示していない項目を備えるようにしてもよい。例えば、構成ラベルの出来上がりイメージを示すイメージ形状の項目を備え、各ラベルデザインのイメージデータを格納するようにしてもよい。
【００６０】
また、図５（Ｃ）に示すように、文字入力される場合、文字が入力される構成ラベル（例えば「出口はこちらです」と付されたラベル）の長さを、入力される文字の数、大きさに応じて変化するようにしてもよい。これにより、例えば、入力文字が２文字の場合には、胴が短い「きりん」のデザインラベルが作れるようにし、入力文字が５文字の場合には、胴が長い「きりん」のデザインラベルが作れるようにすることができる。
【００６１】
さらに、文字が入力される構成ラベルの長さが固定としてもよい。これにより、文字が入力できる領域が固定されるので、文字数が少ない場合には、文字サイズを大きくしたり、文字間隔を広くしたりすることができ、文字数が多い場合には、文字サイズを小さくしたり、文字間隔を狭くしたりすることができる。
【００６２】
ＲＡＭ２３は、１又は複数のＲＡＭチップでなり、ワーキングメモリとして用いられるものであり、また、利用者入力に係る固定データ等も格納するものである。図１では、ＲＡＭ２３として記載しているが、ワーキングメモリとして用いられる他のメモリ素子（例えばＥＥＰＲＯＭ等）も含む概念である。ＲＡＭ２３は、印刷する文字列をドット展開して格納する印刷バッファや、入力文字列等についての表示画像を格納する表示バッファや、印刷や入力に係る文字データ等を格納するテキストバッファや、行番号についての表示態様を保持する行番号状態保持バッファや、属性インジケータ３についての表示態様を保持する属性インジケータ状態保持バッファ等を有する。
【００６３】
ＣＧ−ＲＯＭ２４は、当該ラベルデザイン印刷装置１に用意されている文字や記号のドットパターンを格納しているものであり、文字や記号を特定するコードデータが与えられたときに対応するドットパターンを出力するものである。なお、表示用と印刷用とで別個のＣＧ−ＲＯＭが設けられていてもよい。フォント情報の格納形式はアウトラインフォント形式及びビットマップ形式のいずれであってもよい。
【００６４】
入力インターフェース２５は、入力部１０及び制御部２０間のインターフェースを行なうものであり、出力インターフェース２６は、出力部３０及び制御部２０間のインターフェースを行なうものである。
【００６５】
ＣＰＵ２１は、入力部１０からの入力信号やそのときの処理段階に応じて定まるＲＯＭ２２内の処理プログラムを、ＲＡＭ２３をワーキングエリアとして利用しながら、また必要ならばＲＯＭ２２やＲＡＭ２３に格納されている固定データを適宜用いて処理するものであり、その処理状況や処理結果等を液晶ディスプレイ３５に表示させたりテープに印刷させたりするものである。
【００６６】
（Ａ−２）第１の実施形態の動作
次に、第１の実施形態のラベルデザイン作成処理の動作を、図面を参照しながら詳細に説明する。図６は、第１の実施形態のラベルデザイン作成処理を説明する動作フローチャートである。
【００６７】
まず、ラベルデザインを作成しようとする利用者の操作を受けて、ＣＰＵ２１は、ラベルデザイン作成プログラム２２ａを実行するラベルデザイン作成処理モードになる（ステップＳ１０１）。
【００６８】
図７（Ａ）は、液晶ディスプレイ３５に表示させるメニュー画面の画面例を示す。ラベルデザイン作成処理モードにする方法としては、例えば、利用者が、液晶ディスプレイ３５に表示されるメニュー画面を見ながら、キー入力部１１を操作して、ラベルデザイン作成処理を実行する選択肢を選択する方法を適用することができる。このとき、利用者は、ラベルデザイン作成処理を実行する選択肢にカーソルを合わせて選択する方法や、選択肢番号を入力し実行キーを操作する方法等を適用できる。またラベルデザイン作成処理モードにする別の方法としては、例えば、ラベルデザイン作成処理の処理モードを起動させる専用キーを設け、利用者が、この専用キーを操作する方法を適用できる。
【００６９】
ＣＰＵ２１がラベルデザイン作成処理モードになると、ＣＰＵ２１は、ラベルデザイン設定フォーム保存部２２ｂに設定されているラベルデザインを選択させる選択画面を、液晶ディスプレイ３５に表示させる（ステップＳ１０２）。
【００７０】
図７（Ｂ）は、液晶ディスプレイ３５に表示させるラベルデザインの選択画面の画面例を示す。このラベルデザインの選択画面は、ラベルデザイン設定フォーム保存部２２ｂに設定されている全てのラベルデザインについて、「ラベルデザインの番号（Ｎｏ．）」及び「名称」を選択肢として表示させる。
【００７１】
このとき、ラベルデザイン設定フォーム保存部２２ｂにラベルデザインのイメージ形状が格納されている場合には、各ラベルデザインのイメージも併せて表示させるようにしてもよい。また、各ラベルデザインのイメージ形状だけを表示させるようにしてもよい。
【００７２】
液晶ディスプレイ３５上にラベルデザインの選択画面が表示させると、ＣＰＵ２１は、利用者により選択されたラベルデザインを取り込む（ステップＳ１０３）。
【００７３】
ＣＰＵ２１は、利用者により選択されたラベルデザインについて、ラベルデザイン設定フォーム保存部２２ｂを参照して、複数の構成ラベルのうち文字入力可能な構成ラベルを有するものであるか否かを判断する（ステップＳ１０４）。
【００７４】
選択されたラベルデザインが文字入力可能な構成ラベルを有するものである場合、ＣＰＵ２１は、液晶ディスプレイ３５に文字入力画面を表示させる（ステップＳ１０５）。また、文字入力可能な構成ラベルがない場合には、ステップＳ１０８に移行する。
【００７５】
液晶ディスプレイ３５に文字入力画面が表示されると、利用者は、キー入力部１１を操作して、構成ラベルに印刷する文字、記号、図形等を入力する。このとき、複数の構成ラベルにまたがって文字、記号、図形等を印刷できるように、拡大文字の入力をすることができる。
【００７６】
また、利用者が文字の入力を希望しない場合には、利用者は文字入力をせず、例えば画面表示上の「文字入力終り」等の選択肢を選択して文字入力処理を終了してもよい。
【００７７】
利用者により文字が入力されると（ステップＳ１０６）、ＣＰＵ２１は、入力された文字を取り込む（ステップＳ１０７）。また、利用者による文字入力がない場合、ＣＰＵ２１は、文字入力処理を終了し、ステップＳ１０８に移行する。
【００７８】
次に、ＣＰＵ２１は、テープ種類検出センサ１２からテープ種類検出結果を受け取り、テープ種類検出結果に基づいて、現在装填されているテープの種類（テープ幅、テープ色）がラベルデザイン設定フォーム保存部２２ｂに設定されている、対応するラベルデザイン形状の「テープ幅」、「テープ色」に一致しているか否かを判断する（ステップＳ１０８）。
【００７９】
そして、現在装填されているテープ種類（テープ幅、テープ色）がラベルデザイン設定フォーム保存部２２ｂに設定の「テープ幅」、「テープ色」に一致しない場合、ＣＰＵ２１は、設定されている「テープ幅」、「テープ色」のテープカートリッジＴＣが正しく装填されていない旨を、液晶ディスプレイ３５に表示させる（ステップＳ１０９）。
【００８０】
このとき、ＣＰＵ２１は、ラベルデザイン設定フォーム保存部２２ｂに設定されている「テープ幅」、「テープ色」を同時に表示するようにしてもよい。これにより、交換を要求するテープ種類を利用者に示すことができる。
【００８１】
利用者は、液晶ディスプレイ３５の表示画面を見て、ラベルデザイン設定フォーム保存部２２ｂに設定のテープカートリッジＴＣに交換すると、ＣＰＵ２１は、テープ種類検出センサ１２からのテープ種類検出結果に基づいて、ラベルデザイン設定フォーム保存部２２ｂに設定のテープ種類が装填されていることを判断し（ステップＳ１０８）、ステップＳ１１０に移行する。
【００８２】
ここで、図６に示すラベルデザイン作成処理では、利用者が、正しいテープカートリッジＴＣを装填するまで、その後の処理に移行しないものとする。しかし、後述するように、ラベルデザイン設定フォーム保存部２２ｂに設定されているラベルデザインの「テープ幅」、「テープ色」とは別に、利用者が指定したテープ種類で作成させる場合には、テープカートリッジＴＣを交換しなくても、その後の処理に移行させることできる。
【００８３】
次に、ＣＰＵ２１は、ラベルデザイン設定フォーム保存部２２ｂを参照して、利用者により選択されたラベルデザインについて背景模様が設定されているか否かを判断する（ステップＳ１１０）。
【００８４】
そして、選択されたラベルデザインについて背景模様の設定がなされている場合、ＣＰＵ２１は、選択されたラベルデザインに対応する背景模様を選択させる（ステップＳ１１１）。
【００８５】
ここで、背景模様の選択方法としては、種々の方法を適用することができるが、例えば、予め設定された複数の背景模様の設定フォームを保存しておき、選択されたラベルデザインに対応する背景模様を選び出すことで実現することができる。このとき、背景模様の設定フォームには、背景模様を印刷する領域情報が設定されている。例えば、「きりん」のラベルは多数の黒丸を自動印刷できるようするため、例えば、丸の大きさ、丸と丸との間隔等の情報が設定されている。
【００８６】
また、選択されたラベルデザインについて背景模様の設定がない場合には、ＣＰＵ２１は、ステップＳ１１２に移行する。
【００８７】
ステップＳ１１２では、ＣＰＵ２１が、ラベルデザイン設定フォーム保存部２２ｂを参照して、それぞれ特定の長さにテープを切断させることで、利用者により選択されたラベルデザインを構成する各構成ラベルを作成させる。
【００８８】
各構成ラベルの作成の際、入力文字や背景模様を印刷する必要のある構成ラベルについては、ＣＰＵ２１は、入力文字や背景模様をテープに印刷した後、所定長でテープを切断して、入力文字や背景模様が印刷された構成ラベルを作成させる。
【００８９】
ここで、各構成ラベルの排出処理として、例えば、それぞれ作成した構成ラベルを、そのまま順次排出するようにしてもよい。
【００９０】
また、別の方法として、構成ラベルの排出の際に、各構成ラベルをどのように貼り合わせてラベルデザインを作り上げるかを示す組合せ方法を示すようにしてもよい。このように組合せ方法を示すことにより、その組合せ方法を見ながら利用者が組み合わせることができるので、極めて容易にラベルデザイン形状を形成することができ、貼り合わせミスを低減させることができる。
【００９１】
なお、以下で説明する図８、図１１、図２４に示す、「案内ラベル」及び「貼り合わせ位置」は、本発明の「案内」の概念に含まれるものである。また、図９で説明するように、表示手段にラベルの組み合わせ方法を表示することも、本発明の「案内」の概念に含まれるものである。
【００９２】
図８は、ラベルデザイン形状の組合せ方法の表示を示す例を説明する説明図である。
【００９３】
例えば、図８（Ａ）に示すように、ＣＰＵ２１は、各構成ラベルを排出する際、ラベルデザインの完成イメージと、当該構成ラベルがどの部分のものであるかを示す案内ラベルをラベルの先頭に印刷させる。図８（Ａ）では、斜線部分が当該構成ラベルの貼り合わせ位置としている。また、ＣＰＵ２１は、案内ラベル部分と構成ラベル本体部分との間をハーフカットで切断させる。また、ＣＰＵ２１は、各構成ラベル間についてはフルカットで切断させる。これにより、利用者に対し、構成ラベル本体と案内ラベルとの関係をわかり易く示すことができる。
【００９４】
また例えば、図８（Ｂ）に示すように、ＣＰＵ２１は、ラベルデザインの完成イメージと、各ラベルに番号を付した案内ラベルをラベル先頭に印刷させる。案内ラベルに示す番号は、このラベル表示以後に排出される構成ラベルの並び順に相当するものである（また、構成ラベル番号に相当するものでもある）。また、ＣＰＵ２１は、案内ラベル部分と各構成ラベルとの間、及び、各構成ラベル間をハーフカットで切断させる。
【００９５】
なお、図８（Ａ）に示す案内ラベルと図８（Ｂ）に示す案内ラベルとを組み合わせて出力してもよい。
【００９６】
また、図２４に示すように、例えば「Ｈ」と「Ｏ」等のように、２以上の分離したラベルデザインの構成ラベルを作成する際、それぞれのラベル群毎に次のようにして出力するようにしてもよい。例えば、「Ｈ」については、図８（Ｂ）と同じように、案内ラベルをラベル先頭に印刷して「Ｈ」の構成ラベル群を作成し、構成ラベル群の作成が終了すると、フルカットで切断する。このとき、「Ｈ」の複数の構成ラベル間はハーフカットとする。その後、次の「Ｏ」について、「Ｈ」と同様にして構成ラベル群を作成する。
【００９７】
さらに、ＣＰＵ２１は、液晶ディスプレイ３５に組合せ方法を表示するようにしてもよい。図９は、液晶ディスプレイ３５上に表示させるラベルデザインの組合せ方法の表示例を説明する説明図である。
【００９８】
図９に示すように、ＣＰＵ２１は、ラベルデザインの完成イメージと、構成ラベルの組み合わせ順序を液晶ディスプレイ３５に表示させる。例えば、図９（Ａ）の表示画面を表示させた後に、図９（Ｂ）の表示画面に切り替えて表示させる。このように、ラベルデザインが完成するまで繰り返し表示切替させる。
【００９９】
この場合、例えば、ラベルを組み合わせる順番を表示させるための組み合わせ順序情報を設定フォームに予め設定しておき、ＣＰＵ１２が、この設定フォームの組み合わせ順序情報に基づいて、ディスプレイ駆動回路３６を制御することで、ラベルを組み合わせる方法を表示させることができる。
【０１００】
なお、表示画面の切替方法としては、例えば、ＣＰＵ１２が、所定時間毎に画面を切り替え制御するようにしてもよいし、利用者によるキー入力部１１の操作を受けて切り替え（選択）するようにしてもよいし、また、所定時間毎の自動切替と利用者操作による選択の両方を備えるようにしたりしてもよい。
【０１０１】
また、図８（Ａ）又は（Ｂ）に示す案内ラベルの印刷と共に、図９に示す液晶ディスプレイ３５上で組合せ方法を表示させるようにしてもよい。
【０１０２】
さらにまた、ＣＰＵ２１は、構成ラベル同士を貼り合わせる位置を印刷させるようにしてもよい。
【０１０３】
図１０、図１１及び図２５は、構成ラベル同士の貼り合わせ位置の印刷例を示す図である。
【０１０４】
例えば、図１０では、「へび」形状の構成ラベルを示している。また、図１０では、複数のラベルにまたがって文字が印刷される場合の例である。図１０（Ａ）は、ラベルデザインの出来上がりを示す。図１０（Ａ）に示すように、「テ」、「プ」、「ラ」も文字はそれぞれ上段と下段のラベルにまたがって印刷される。この場合、図１０（Ｂ）に示すように、ＣＰＵ２１は、ラベル先頭に案内ラベルを印刷させると共に、各構成ラベルに対応する文字の一部分を印刷させる。また、図１０（Ｃ）に示すように、ＣＰＵ２１は、各構成ラベルの貼り合わせ位置を示す指標（マーク）を印刷させる。このとき、構成ラベルのハーフカット代に貼り合わせ位置を示す指標（マーク）を付けたり、また構成ラベルを貼り合わせることで、この貼り合わせ位置を示す指標（マーク）を隠すことができるように印刷させたりしてもよい。これにより、貼り合わせたときに、貼り合わせ位置を示す指標（マーク）を隠すことができるので、出来上がりがきれいなラベルデザインを形成することができる。
【０１０５】
例えば、図１１（Ａ）では、「きりん」形状の構成ラベルを示している。そのうち、「構成ラベルＮｏ．２」のように、ＣＰＵ２１は、「構成ラベルＮｏ．１」及び「構成ラベルＮｏ．３」の貼り合わせ位置を示す指標（マーク）を印刷させる。また、「構成ラベルＮｏ．３」のように、ＣＰＵ２１は、「構成ラベルＮｏ．４」の貼り合わせ位置を示す指標（マーク）を印刷させる。これにより、構成ラベルの貼り合わせ位置を利用者にわかり易く示すことができるので、ラベルデザインの容易な形成が可能となる。
【０１０６】
また例えば、図１１（Ｂ）では、「矢印」形状の構成ラベルを示している。図１１（Ｂ）に示すように、ＣＰＵ２１は、構成ラベル間を貼り合わせる部分（重ね合わせ部分）が分かるように、重ね合わせ部分を印刷させる。これにより、利用者が重ね合わせ部分に構成ラベルを貼り合わせることで、容易にラベルデザインを形成させることができる。
【０１０７】
さらに、図１１（Ｃ）では、「矢印」形状の構成ラベルを示している。図１１（Ｃ）に示すように、ＣＰＵ２１は、構成ラベルの重ね合わせ部分に、重ね合わせる構成ラベルの番号を印刷させる。このように、番号を印刷することで、重ね合わせる構成ラベルを特定できるので、より簡単にラベルデザインを形成させることができる。
【０１０８】
また、図２５（Ａ）、（Ｂ）に示すように、構成ラベルの重複部分を網点で示すようにする。これにより、単色印刷しかできないラベル作成装置であっても、複数枚の重複部分を表現することができる。
【０１０９】
上記では、構成ラベルの組合せ方法を表示する例を示したが、このほかに、ＣＰＵ２１は、構成ラベルに切り取り線を印刷するようにしてもよい。図１２は、構成ラベルに切り取り線を印刷する場合の例を示す図である。
【０１１０】
例えば、図１２では、「戦車」形状の構成ラベルを示している。そのうち、「構成ラベルＮｏ．２」のように、ＣＰＵ２１は、切り取り線を印刷する。その後、利用者が切り取り線に沿って切り離すことで、「構成ラベルＮｏ．２」のラベルに丸みをつけることができる。すなわち、矩形形状のラベルを変形させることができるので、ラベルデザインにバリエーションを与えることができる。
【０１１１】
以上のようにして、ラベルデザイン作成装置１は利用者が選択したラベルデザインを構成する構成ラベルを排出することができ、利用者が各構成ラベルを組み合わせることで、所望のラベルデザインを形成することができる。
【０１１２】
図５に示すラベルデザインの例のほかに、例えば、図１３に示すように、文字を形成するようにしてもよい。例えば、図１３（Ａ）と図１３（Ｂ）とは共に、英字「Ｃ」を形成する場合の例であるが、英字「Ｃ」を形成するための組合せ方法が異なる。つまり、図１３（Ａ）の例は、構成ラベルの幅方向の軸及び長さ方向の軸が一致するようにして形成した場合であり、図１３（Ｂ）の例は、構成ラベルの長さ方向が、「Ｃ」の文字形状に沿って並べるようにして形成した場合である。
【０１１３】
なお、図１３では、英字を例挙げて説明したが、「ひらがな」、「カタカナ」、「漢字」、「数字」等の形状をラベルで形成できるようにしてもよい。
【０１１４】
また、図２３は、別のラベルデザインの例を示す。図２３（Ａ）は、「矢印」形状の別の例である。図２３（Ａ）では、指で方向を指す図形と目的先（「伊東家」）が印刷されてえる。図２３（Ｂ）は、「第１会議室」の方向を示す「矢印」形状である。「第１会議室」という文字が、５枚のラベルにまたがって印刷されている。図２３（Ｃ）は、「階段」形状に、２階が「古着売場」であることを案内するラベルデザインである。「古着売場」という文字及び「矢印」の図形が、２枚のラベルにまたがって印刷されている。図２３（Ｄ）は、「矢印」形状のラベルデザインであり、「１００ｍ」という文字が２枚のラベルにまたがって印刷されると共に、「先」という文字が４枚のラベルにまたがって印刷される。図２３（Ｅ）は、「パンダ」形状であり、パンダの口に案内文が印刷されている場合である。図２３（Ｆ）は、「まる注」という文字図形が３枚のラベルに印刷されているラベルデザインである。図２３（Ｇ）は、「家」形状に「家」という文字が２枚のラベルに印刷されている。
【０１１５】
図２３に示すように、複数の構成ラベルにまたがって拡大文字や拡大図形等を印刷させることにより、既存の拡大印刷の場合に比べて、テープ使用量を少なくすることができ、また、ラベルデザインの形状と共に表示させることができるので、その意図を明確にすることができる。
【０１１６】
（Ａ−３）第１の実施形態の効果
以上のようにして、ラベルデザイン作成装置１は、利用者が選択したラベルデザインを形成するための構成ラベルを作成することができる。
【０１１７】
（Ｂ）第２の実施形態
次に、本発明のラベルデザイン作成装置の第２の実施形態を、図面を参照して説明する。
【０１１８】
第１の実施形態では、ラベルデザイン設定フォーム保存部２２ｂに設定されているテープ種類（デフォルト設定のテープ種類）を用いて構成ラベルを作成する場合を説明した。
【０１１９】
これに対して、第２の実施形態では、ラベルデザイン設定フォーム保存部２２ｂに設定されているテープ種類に限定されないで、構成ラベルを作成する場合を説明する。
【０１２０】
第２の実施形態のラベルデザイン作成装置の内部構成は、図１に示す構成に対応するため、第２の実施形態でも図１を用いて説明する。
【０１２１】
第２の実施形態が、第１の実施形態と異なる点は、ＣＰＵ２１が実行するラベルデザイン作成処理プログラムの内容である。そこで、第２の実施形態では、ラベルデザイン作成処理プログラム２２ｃと示す。
【０１２２】
図１４は、第２の実施形態のラベルデザイン形状の作成処理を示す動作フローチャートである。
【０１２３】
図１４において、ラベルデザイン作成装置１がラベルデザイン作成処理モードになる処理から入力文字を取り込むまでの処理は、第１の実施形態で説明した処理に対応するため、ここでの詳細な説明は省略する（ステップＳ１０１〜Ｓ１０７）。
【０１２４】
入力文字の取り込み処理がなされると、ＣＰＵ２１は、テープ種類検出センサ１２からのテープ種類検出結果に基づいて、テープ種類が正しく装填されているか否かを判断する（ステップＳ１０８）。
【０１２５】
現在装填されているテープ種類がラベルデザイン設定フォーム保存部２２ｂに設定のデフォルト設定のテープ種類でない場合、ＣＰＵ２１は、設定されている「テープ幅」、「テープ色」のテープカートリッジＴＣが正しく装填されていない旨を、液晶ディスプレイ３５に表示させる（ステップＳ１０９）。
【０１２６】
また、ＣＰＵ２１は、デフォルト設定のテープ種類で構成ラベルを作成するか否かの確認画面を液晶ディスプレイ３５に表示させる（ステップＳ２０１）。
【０１２７】
利用者は、キー入力部１１を操作して、デフォルト設定のテープ種類で構成ラベルを作成するか否かを選択する。
【０１２８】
これを受けて、ＣＰＵ２１は、デフォルト設定のテープ種類で作成するか否かを判断し（ステップＳ２０２）、デフォルト設定で作成する場合には、ステップＳ１０８に戻り、正しいテープカートリッジＴＣの交換を促し、デフォルト設定で作成しない場合には、ステップＳ１１０に移行し、背景模様の選択処理を行なう。
【０１２９】
ステップＳ１１０以降の処理は、第１の実施形態で説明した処理に対応するので、ここの詳細な説明は省略する。
【０１３０】
上記のようにして、ラベルデザイン設定フォーム保存部２２ｂに設定されているデフォルト設定のテープ種類以外のテープ種類を用いて、利用者はラベルデザインを形成することができる。
【０１３１】
図１５は、デフォルト設定以外のテープ種類を用いたラベルデザインの形成例を示す図である。
【０１３２】
例えば、図１５（Ａ）は、テープ幅が２４ｍｍのテープと６ｍｍのテープを用いて、「矢印」形状を形成する場合の例である。また、図１５（Ｂ）は、屋根部分に赤色のテープを用いて、壁部分に黄色のテープを用いて「家」形状を形成する場合の例である。さらに、図１５（Ｃ）は、青テープ、白色テープ、赤色テープを並べて、国旗のようにしてラベルデザインを形成する場合の例である。
【０１３３】
このように、デフォルト設定以外のテープ種類を用いることで、利用者の好みに応じて、自由にラベルデザイン形状を形成させることができる。
【０１３４】
以上のように、第２の実施形態によれば、第１の実施形態と同様の効果を奏する。また、第２の実施形態によれば、デフォルト設定のテープ種類に限定されず、利用者が希望するテープ種類でラベルデザイン形状を形成することができる。
【０１３５】
（Ｃ）第３の実施形態
次に、本発明のラベルデザイン作成装置の第３の実施形態を、図面を参照して説明する。
【０１３６】
第３の実施形態は、利用者が、ラベルデザインを自由に作図できることに特徴がある。
【０１３７】
第１及び第２の実施形態では、主に、専用のラベルデザイン作成装置（ラベル作成装置）を想定して説明したが、第３の実施形態では、パーソナルコンピュータと接続するラベル作成装置やスタンドアロン型ラベル作成装置等の比較的処理能力が高い情報処理装置に適用する場合を想定して説明する。
【０１３８】
勿論、後述する処理はソフトウェア処理であるから、専用のラベルデザイン作成装置に適用することもできる。
【０１３９】
（Ｃ−１）第３の実施形態の構成
第３の実施形態のラベルデザイン作成装置として適用する情報処理装置（例えば、パーソナルコンピュータやスタンドアロン型ラベル作成装置等）のハードウェア構成は、既存の情報処理装置のハードウェア構成を適用できる。すなわち、情報処理は、ＣＰＵ、記憶部（ＲＡＭ、ＲＯＭ等）を備え、ＣＰＵが、ＲＯＭ等に記憶される処理プログラムを実行することで、所定の処理を実現することができるものである。
【０１４０】
第３の実施形態では、ラベルデザイン作成プログラム２２ｄをＣＰＵが実行して、後述する処理を実現することができる。
【０１４１】
なお、ラベルデザイン作成プログラム２２ｄは、ＣＰＵに読取可能な記録媒体に記憶されるものを利用したり、ハードウェアに予め記憶されているものを利用したり、電気回線を通じてダウンロードしたものを利用したりして適用できる。
【０１４２】
利用者は、例えば、パーソナルコンピュータの入力装置（例えば、マウス、キーボード等）や、スタンドアロン型ラベル作成装置の入力装置（例えば、マウス、キーボード、タッチパネル等）を操作してラベルデザインを作成する。
【０１４３】
図１６は、第３の実施形態のラベルデザイン作成プログラム２２ｄが実行されることで実現される機能を説明する機能ブロック図である。
【０１４４】
図１６に示すように、第３の実施形態のラベルデザイン作成プログラム２２ｄは、構成ラベル編集機能部５１、ラベルデザイン編集機能部５２、文字入力機能部５３、背景模様編集機能部５４、印刷機能部５５、を少なくとも有する。
【０１４５】
構成ラベル編集機能部５１は、ラベルデザインを構成する各構成ラベルの長さ、幅、色、個数などを編集する機能である。
【０１４６】
ラベルデザイン編集機能部５２は、構成ラベルの位置や角度等を編集する機能である。構成ラベルの編集方法としては、例えば、利用者がマウス等を用いて構成ラベルを移動させたり、移動距離や移動角度を座標入力させたり（パラメータ編集）する方法がある。
【０１４７】
また、ラベルデザイン編集機能５２は、矩形形状の構成ラベルのかどを、面取りしたり、円弧で丸みをつけたりする機能も有する。
【０１４８】
文字入力機能部５３は、ラベルデザイン編集機能部５２により編集されたラベルデザイン形状に、利用者により入力された文字、記号、図形等を、利用者の指示に従った位置に設定するものである。
【０１４９】
背景模様編集機能部５４は、ラベルデザイン形状編集機能部５２により編集されたラベルデザイン形状に、利用者により選択された背景模様を、利用者の指示に従った位置に設定するものである。
【０１５０】
印刷機能部５５は、利用者操作により作成されたラベルデザインをラベル作成装置に印刷させるものである。
【０１５１】
また、ラベルデザイン作成プログラム２２ｄは、利用者が作成したラベルデザインの構成を保存するようにしてもよい。このとき、形状の名称、構成ラベルの枚数、各構成ラベルの長さ、テープ幅、テープ色を関連付けて設定登録することができる。
【０１５２】
（Ｃ−２）第３の実施形態の動作
次に、第３の実施形態のラベルデザイン作成処理を、図面を参照しながら説明する。
【０１５３】
まず、利用者は入力装置（例えば、マウス、キーボード、タッチパネル等）を操作して、ラベルデザイン形状プログラム２２ｄを起動させ、ラベルデザイン作成処理モードにさせる。
【０１５４】
ＣＰＵは、ラベルデザインを作成するための作図画面を表示させる。利用者は、作図画面を見ながら、ラベルデザインを作成する所定の操作を行なう。
【０１５５】
利用者は、まず、構成ラベルの編集を行なう。構成ラベルの編集は、例えば、作図画面上に表示されている構成ラベル編集ボタン（アイコン）を選択することで可能となる。
【０１５６】
例えば、図１７に、操作画面に表示される作図画面の例を示す。図１７に示す作図画面６１には、構成ラベルを編集するための構成ラベル編集画面６２が表示されている。
【０１５７】
構成ラベル編集画面６２には、構成ラベルの長さ、テープ幅、テープ色のそれぞれを指定するためのテープ長さ入力部６２１、テープ幅入力部６２２、テープ色入力部６２３を有している。
【０１５８】
利用者は、この構成ラベル編集画面６２を見ながら、機能するラベルデザインに必要な大きさの構成ラベルを、必要な数だけ表示させることができる。
【０１５９】
なお、構成ラベルの別の編集方法として、作図画面上のｘ座標、ｙ座標の指定により構成ラベルを編集する方法も適用できる。例えば、利用者が、マウス等を操作して、線分の始点及び終点を指定することで、テープ長さ及びテープ幅を任意に指定するようにしてもよい。
【０１６０】
次に、利用者は、ラベルデザイン形状の編集を行なう。利用者は、例えば、マウス等の入力装置で作図画面６１上に表示されている構成ラベルの表示を操作することで可能となる。
【０１６１】
ラベルデザイン形状のとしては、構成ラベル表示を移動させたり、角度を調整させたり、回転させたり、反転させたり、構成ラベルの重ね合わせの順序を変えたりすることができる。これにより、利用者が作成するラベルデザインの各構成ラベルの位置、角度などを調整することができる。
【０１６２】
例えば、図１８は、構成ラベル表示の角度を調整させるときの編集画面例を示す。図１８において、まず、マウス等の入力装置を用いて構成ラベル表示の固定点を指定する。例えば、図１８では、構成ラベル表示７１ａの右上の角を指定して固定点とする。その次に、利用者は、マウス等の入力装置を用いて、構成ラベル表示７１ａの左上の角を指定したまま、構成ラベル表示７１ａを操作すると、固定点を基点として、構成ラベル表示７１ａの角度を変えることができる。これにより、構成ラベル表示７１ａの角度を調整することができる。
【０１６３】
続いて、利用者は、必要に応じて、文字入力、背景模様の編集を行なう。文字入力の編集としては、例えば、利用者により指定された位置に、利用者により入力された文字、記号、図形等をテキスト入力することで設定することができる。また、背景模様の編集としては、予め設定された背景模様の設定フォームの中から、利用者が選択した背景模様を選択することで設定することができる。
【０１６４】
このとき、文字入力は、複数の構成ラベルにまたがって、拡大文字を印刷させるように設定することができる。このとき、各構成ラベルの重なり部分のうち、どの構成ラベルを前面にし、どの構成ラベルを背面にするかを決定することもできる。
【０１６５】
図１９（Ａ）は、作図画面６１上でのラベルデザインの完成イメージである。利用者は、希望のラベルデザインを作成すると、所定の印刷操作をして、各構成ラベルの作成して排出することができる。そして、各構成ラベルを組み合わせると、図１９（Ｂ）に示すようなラベルデザイン形状を形成することができる。
【０１６６】
なお、各構成ラベルの作成及び排出処理については、第１及び第２の実施形態で説明した各構成ラベルの作成及び排出処理を適用できる。すなわち、構成ラベルの作成の際に、装填されているテープカートリッジＴＣのテープ種類の検知処理及びテープ種類が異なる場合にその旨を表示させる処理、及び、構成ラベルを排出する際に、案内ラベルを付けて排出させる等の処理を行なう。
【０１６７】
（Ｃ−３）第３の実施形態の効果
以上のように、第３の実施形態によれば、第１及び第２の実施形態の効果に加えて、利用者が希望するラベルデザインを作成することができる。
【０１６８】
（Ｄ）第４の実施形態
次に、本発明のラベルデザイン作成装置の第４の実施形態を、図面を参照して説明する。
【０１６９】
第４の実施形態は、利用者が、希望するラベルデザイン形状を描写すると、そのラベルデザインを形成できるように構成ラベルを自動的に配置させ、ラベルデザインを自由に作図できることに特徴がある。
【０１７０】
第４の実施形態も、第３の実施形態と同様に、パーソナルコンピュータと接続するラベル作成装置やスタンドアロン型ラベル作成装置等の比較的処理能力が高い情報処理装置に適用する場合を想定して説明する。
【０１７１】
勿論、後述する処理はソフトウェア処理であるから、専用のラベルデザイン作成装置に適用することもできる。
【０１７２】
（Ｄ−１）第４の実施形態の構成
第４の実施形態では、ラベルデザイン作成プログラム２２ｅをＣＰＵが実行して、後述する処理を実現することができる。
【０１７３】
なお、ラベルデザイン作成プログラム２２ｅは、ＣＰＵに読取可能な記録媒体に記憶されるものを利用したり、ハードウェアに予め記憶されているものを利用したり、電気回線を通じてダウンロードしたものを利用したりして適用できる。
【０１７４】
図２０は、第４の実施形態のラベルデザイン作成プログラム２２ｅが実行されることで実現される機能を説明する機能ブロック図である。
【０１７５】
図２０に示すように、第４の実施形態のラベルデザイン作成プログラム２２ｅは、ラベルデザイン形状設定機能部６１、構成ラベル配置機能部６２、構成ラベル編集機能部６３、ラベルデザイン形状編集機能部６４、印刷機能部６５、を少なくとも有する。
【０１７６】
ラベルデザイン形状設定機能部６１は、利用者により描写された形状を取り込み、これを利用者が希望するラベルデザイン形状として設定する機能である。
【０１７７】
構成ラベル配置機能部６２は、ラベルデザイン形状設定機能部６１により設定された利用者が描写したラベルデザイン形状に合わせて、当該ラベルデザイン形状を形成できるように構成ラベルを自動的に配置させる機能である。
【０１７８】
構成ラベルを配置させる方法として、例えば、構成ラベルの幅方向の軸と長さ方向の軸を一致させたまま、利用者が描写した形状をカバーできるように、複数の構成ラベルを配置させる方法や、また、利用者が描写した形状線に沿って、構成ラベルを並べるようにして配置させる方法等を適用できる。
【０１７９】
構成ラベル編集機能部６３は、構成ラベル配置機能部６２による構成ラベルの自動配置後、利用者操作による構成ラベルの長さ、幅、色、個数などを編集する機能である。
【０１８０】
ラベルデザイン編集機能部６３は、構成ラベル配置機能部６２による構成ラベルの自動配置後、構成ラベルの位置や角度等を編集する機能である。
【０１８１】
印刷機能部６５は、利用者操作により作成されたラベルデザイン形状をラベル作成装置に印刷させるものである。
【０１８２】
また、ラベルデザイン形状作成プログラム２２ｅは、利用者が作成したラベルデザイン形状の構成を保存するようにしてもよい。このとき、形状の名称、構成ラベルの枚数、各構成ラベルの長さ、テープ幅、テープ色を関連付けて設定登録することができる。
【０１８３】
（Ｄ−２）第４の実施形態の動作
次に、第４の実施形態のラベルデザイン作成処理を、図面を参照しながら説明する。
【０１８４】
まず、利用者は入力装置（例えば、マウス、キーボード、タッチパネル等）を操作して、ラベルデザイン形状プログラム２２ｅを起動させ、ラベルデザイン作成処理モードにさせる。
【０１８５】
ＣＰＵは、ラベルデザインを作成するための作図画面を表示させる。利用者は、作図画面を見ながら、ラベルデザインを作成する所定の操作を行なう。
【０１８６】
利用者は、まず、ラベルデザインとして希望する形状を、マウス等を用いて作図画面上に描写する。これを受けて、ＣＰＵは、利用者が描写した形状を取り込み、その形状を表示すると共に、その取り込んだ形状を利用者が希望するラベルデザイン形状として設定する。
【０１８７】
例えば、図２１は、利用者が描写した形状を表示させる作図画面の例を示す。図２１では、「？（クエスチョンマーク）」を利用者が描写する場合とする。
【０１８８】
ＣＰＵは、利用者により描写された形状をラベルデザイン形状として設定すると、描写したラベルデザイン形状に合わせて、当該ラベルデザイン形状を形成できるように構成ラベルを自動的に配置させる。
【０１８９】
このとき、配置されるテープ幅については、利用者が予め設定しておいてもよいし、構成ラベルの自動配置後、構成ラベル編集機能により設定変更してもよい。
【０１９０】
図２２は、構成ラベルを配置させたときの作図画面の例を示す。構成ラベルの配置方法としては、図２２（Ａ）のように、テープ幅方向軸とテープ長さ方向軸とを一致させたまま、描写された形状をカバーするように構成ラベルを配置させる場合と、図２２（Ｂ）のように、利用者が描写した形状線に沿って、構成ラベルを並べるようにして配置させる場合を適用できる。
【０１９１】
構成ラベルの配置設定については、描写された形状曲線の変化量が大きい場合には、構成ラベルの長さを小さくし、形状曲線の変化量が小さい場合には、構成ラベルの長さを大きくするようにする。
【０１９２】
また、テープ使用量の無駄を省くため、描写された形状曲線をカバーする余白部分を調整できるようにしてもよい。
【０１９３】
なお、これら構成ラベルの配置方法のいずれかを適用するかは、利用者の選択により切り替えることができる。
【０１９４】
ＣＰＵによる構成ラベルの自動配置後、利用者は、必要に応じて、構成ラベルの編集処理及びラベルデザイン形状の編集処理を行なうことができる。この構成ラベルの編集処理及びラベルデザイン形状の編集処理は、第３の実施形態で説明した処理を適用できるので、ここでの詳細な説明は省略する。また、利用者は、必要に応じて、文字入力、背景模様の編集を行なうようにしてもよい。
【０１９５】
利用者は、描写した形状に対するラベルデザイン形状を作成すると、所定の印刷操作をして、各構成ラベルの作成して排出させ、各構成ラベルを組み合わせて、所望のラベルデザイン形状を形成することができる。
【０１９６】
なお、各構成ラベルの作成及び排出処理については、第１及び第２の実施形態で説明した各構成ラベルの作成及び排出処理を適用できるので、ここでの詳細な説明は省略する。
【０１９７】
（Ｄ−３）第４の実施形態の効果
以上のように、第４の実施形態によれば、第１〜第３の実施形態の効果に加えて、利用者が希望する形状をラベルデザイン形状として形成させることができる。
【０１９８】
また、第４の実施形態によれば、ラベルデザイン形状の大きさも、利用者が希望する大きさに設定することができるので、より利用者の希望に合うラベルデザインを形成することができる。
【０１９９】
（Ｅ）他の実施形態
次に、第１〜第４の実施形態においても種々の変形実施形態を説明したが、それ以外の変形実施形態について説明する。
【０２００】
（Ｅ−１）図６及び図１４に示す動作フローは例示であるので、図６及び図１４に示す処理順序は特に限定されるものではない。
【０２０１】
（Ｅ−２）ラベルデザイン設定フォーム保存部２２ｂは、複数のラベルデザイン形状を、ラベルデザイン形状の分野毎に、階層的に格納するものとしてもよい。
【０２０２】
例えば、上記概念として、「動物」、「図形」、「文字」、…などに分類され、さらに、例えば「動物」の下位概念して、「パンダ」「きりん」、…等のようにして、ラベルデザイン形状設定保存部２２ｂが各種設定フォームを格納するようにしてもよい。
【０２０３】
（Ｅ−３）第１〜第４の実施形態において、液晶ディスプレイ等の表示手段が、ラベルを貼り合わされた後の大きさ（縦×横）を表示するようにしてもよい。この場合、予め設定フォームのラベル全体の大きさを示す情報を設定しておき、利用者の選択の際に、ＣＰＵが、このラベル全体の大きさを示す情報を表示させることで実現できる。
【０２０４】
なお、ラベル全体の大きさについては、利用者操作を受けて変更することができる。この場合、例えば、ラベル全体の大きさに変更に合わせて、テープ幅、テープ長も変更するようにし、最初に提示したデザインと略相似形のデザインになるようにする。
【０２０５】
（Ｅ−４）第１〜第４の実施形態において、デザインを構成するラベル枚数が多い場合には、案内（例えば、図１０のハーフカット代）や符号（例えば、図１１の貼り合わせ位置）等）を自動的に付すようにしてもよい。なお、ラベル枚数の閾値は適宜設定できる。
【０２０６】
さらに、貼り合わす側（例えば、表面側になるラベル、図１１（Ｃ）の番号「３」等）にも番号を（好適に小さく）印刷するようにしてもよい。このとき、貼り合わせ箇所同士に、同じ番号を付すようにすることで、その番号同士での貼り合わせをすれば、ラベルを形成することができることを促すことができる。
【０２０７】
なお、図１０のように、案内ラベルを先頭につける場合にも、ハーフカット代に案内ラベルに示す番号を付すようにしてもよい。
【０２０８】
（Ｅ−５）第１〜第４の実施形態ラベル組み合わせ情報は、予め設定フォームとして設定されているものとしたが、この設定フォームを用いることなく、利用者が選択・指定できるようにしてもよい。これにより、利用者が希望するラベル組み合わせでラベルデザインンを形成することができる。
【０２０９】
（Ｅ−６）上記第１〜第４の実施形態から、以下の技術的思想も導き出される。
【０２１０】
（１）利用者が作成を希望するラベルデザインの入力を受け付けるラベルデザイン入力手段と、ラベルデザイン入力手段に入力されたラベルデザインを形成するために必要な複数の矩形形状の構成ラベルを作成する構成ラベル作成手段とを備え、構成ラベル作成手段で作成された複数の矩形形状の構成ラベルが組み合わされることでラベルデザインが形成されることを特徴とするラベルデザイン作成装置。
【０２１１】
このラベルデザイン作成装置によれば、利用者等から入力されたデザインを、複数の構成ラベルで構成し、当該構成ラベルを出力させることが可能となる。
【０２１２】
（２）複数種類のラベルデザイン毎に、それぞれ、少なくとも、構成ラベルの枚数と構成ラベルの長さとが設定された設定情報を保存するラベルデザイン設定情報保存手段を備え、構成ラベル作成手段は、ラベルデザイン設定情報保存手段に設定されているラベルデザインの設定情報に基づいて、複数の構成ラベルを作成することを特徴とする請求項１に記載のラベルデザイン作成装置。
【０２１３】
このラベルデザイン作成装置によれば、ラベルデザイン設定情報を保存することができるので、このラベルデザイン設定情報に基づいて、ラベルデザインを形成することができる構成ラベルを出力することができる。
【０２１４】
（３）（１）のラベルデザイン作成装置において、ラベルデザイン入力手段は、利用者操作を受けて、ラベルデザインを構成する各構成ラベルの組み合わせ形態を調整し、独自の組み合わせ形態を許容するものであり、構成ラベル作成手段が、独自の組み合わせ形態で形成されるラベルデザインの各構成ラベルを作成するものであることを特徴とするラベルデザイン作成装置。
【０２１５】
このラベルデザイン作成装置によれば、利用者独自の組み合わせによりラベルデザインを作成することができる。
【０２１６】
（４）（１）又は（３）のラベルデザイン作成装置において、ラベルデザイン入力手段は、利用者により描写された描写形状の入力を取り込むものであって、入力された描写形状をカバーするように、複数の矩形形状を配置するものであり、構成ラベル作成手段は、描写形状に対して配置された複数の矩形形状を、描写形状をラベルデザインとするときの構成ラベルとして作成するものであることを特徴とするラベルデザイン作成装置。
【０２１７】
このラベルデザイン作成装置によれば、利用者が描写した形状に対して、構成ラベルを自動的に割り当てて、それら構成ラベルを出力することができる。
【０２１８】
（５）（１）〜（４）のいずれかのラベルデザイン作成装置において、構成ラベル作成手段は、構成ラベルの出力の際、ラベルデザインの組み合わせ形状のイメージ、及び／又は、ラベルデザインの組み合わせ方法も、併せて出力することを特徴とするラベルデザイン作成装置。
【０２１９】
このラベルデザイン作成装置によれば、ラベルデザインの組み合わせ方法も同時に出力することができるので、利用者が容易にラベルデザインを作り上げることができる。
【０２２０】
（６）（１）〜（５）のいずれかのラベルデザイン作成装置において、構成ラベル作成手段は、各構成ラベルの出力の際、構成ラベルのそれぞれの組み合わせ位置を示す指標を、各構成ラベルに印刷して出力することを特徴とするラベルデザイン作成装置。
【０２２１】
このラベルデザイン作成装置によれば、組み合わせ位置を示す指標をラベルに自動印刷することができるので、利用者が容易にラベルデザインを作り上げることができる。
【０２２２】
（７）（６）のラベルデザイン作成装置において、構成ラベル作成手段が、構成ラベルのそれぞれの組み合わせ位置を示す案内を、１又は複数の構成ラベルのハーフカット代に印刷することを特徴とするラベルデザイン作成装置。
【０２２３】
このラベルデザイン作成装置によれば、組み合わせ位置を示す案内を、ハーフカット代に印刷することができるので、利用者が容易にラベルデザインを作り上げることができる。
【０２２４】
（８）（１）〜（７）のいずれかのラベルデザイン作成装置において、１又は複数の構成ラベルに対して、１又は複数の画像を形成する画像形成手段をさらに備えることを特徴とするラベルデザイン作成装置。
【０２２５】
このラベルデザイン作成装置によれば、ラベルに画像を印刷する画像形成手段を備えることにより、文字、記号、模様などをラベルに印刷することができる。
【図面の簡単な説明】
【０２２６】
【図１】第１の実施形態のラベルデザイン作成装置の電気的構成を示すブロック図である。
【図２】第１の実施形態のラベルデザイン作成装置の外観斜視図である。
【図３】第１の実施形態のラベルデザイン作成プログラムの機能構成を示す既往ブロック図である。
【図４】第１の実施形態のラベルデザイン形状設定フォーム保存部の構成例を示す図である。
【図５】第１の実施形態のラベルデザイン形状の完成イメージ図である。
【図６】第１の実施形態のラベルデザイン作成処理を示す動作フローチャートである。
【図７】第１の実施形態の液晶ディスプレイに表示させる選択画面例である。
【図８】第１の実施形態のラベルデザイン形状の組合せ方法の表示を示す例を説明する説明図である（その１）。
【図９】第１の実施形態の液晶ディスプレイに表示させる組合せ方法の表示例を説明する説明図である。
【図１０】第１の実施形態の構成ラベル同士の貼り合わせ位置の印刷例を示す図である（その１）。
【図１１】第１の実施形態の構成ラベル同士の貼り合わせ位置の印刷例を示す図である（その２）。
【図１２】第１の実施形態の構成ラベルに切り取り線を印刷する場合の例を示す図である。
【図１３】第１の実施形態のラベルデザイン形状として文字を形成する場合の例を示す図である。
【図１４】第２の実施形態のラベルデザイン形状の作成処理を示す動作フローチャートである。
【図１５】第２の実施形態のデフォルト設定以外のテープ種類を用いたラベルデザイン形状の形成例を示す図である。
【図１６】第３の実施形態のラベルデザイン作成プログラムが実行されることで実現される機能を説明する機能ブロック図である。
【図１７】第３の実施形態の構成ラベルを編集するための構成ラベル編集画面例を示す図である。
【図１８】第３の実施形態の構成ラベル表示の角度を調整させるときの編集画面例を示す図である。
【図１９】第３の実施形態のラベルデザイン形状の完成イメージである。
【図２０】第４の実施形態のラベルデザイン作成プログラムが実行されることで実現される機能を説明する機能ブロック図である。
【図２１】第４の実施形態の利用者が描写した形状を表示させる作図画面の例を示す図である。
【図２２】第４の実施形態の構成ラベルを配置させたときの作図画面の例を示す。
【図２３】第１の実施形態のラベルデザイン形状の完成イメージ図である。
【図２４】第１の実施形態のラベルデザイン形状の組合せ方法の表示を示す例を説明する説明図である（その２）。
【図２５】第１の実施形態の構成ラベル同士の貼り合わせ位置の印刷例を示す図である（その３）。
【符号の説明】
【０２２７】
１…ラベルデザイン作成装置、１０…入力部、２０…制御部、２１…ＣＰＵ、２２…ＲＯＭ、２３…ＲＡＭ、２２ａ、２２ｃ、２２ｄ…ラベルデザイン作成プログラム、２２ｂ…ラベルデザイン形状設定フォーム保存部、出力部。
【図１】
2008290390.tif 000003
【図２】
2008290390.tif 000004
【図３】
2008290390.tif 000005
【図４】
2008290390.tif 000006
【図５】
2008290390.tif 000007
【図６】
2008290390.tif 000008
【図７】
2008290390.tif 000009
【図８】
2008290390.tif 000010
【図９】
2008290390.tif 000011
【図１０】
2008290390.tif 000012
【図１１】
2008290390.tif 000013
【図１２】
2008290390.tif 000014
【図１３】
2008290390.tif 000015
【図１４】
2008290390.tif 000016
【図１５】
2008290390.tif 000017
【図１６】
2008290390.tif 000018
【図１７】
2008290390.tif 000019
【図１８】
2008290390.tif 000020
【図１９】
2008290390.tif 000021
【図２０】
2008290390.tif 000022
【図２１】
2008290390.tif 000023
【図２２】
2008290390.tif 000024
【図２３】
2008290390.tif 000025
【図２４】
2008290390.tif 000026
【図２５】
2008290390.tif 000027